(57)【要約】【課題】水上スポーツを行うユーザをより適切に支援すること。【解決手段】リスト端末１は、ＬＣＤ１４と、出力制御部５３と、を備える。出力制御部５３は、波のうねりが発生または通過してからブレイクするまでの時間を計測する。また、出力制御部５３は、計測した時間の時間情報をＬＣＤ１４に表示させる。【選択図】図２
2020203106.tif 000002
【特許請求の範囲】
【請求項１】
報知部を備え、
波のうねりが発生または通過してからブレイクするまでの時間を計測する計測手段と、
前記計測した時間に基づく時間情報またはタイミング情報を前記報知部に報知させる制御手段と、
を備えることを特徴とする水上スポーツに使用する装置。
【請求項２】
前記報知部は表示部を含み、
ユーザがテイクオフした位置を取得するテイクオフ位置取得手段をさらに備え、
前記制御手段は、前記取得したテイクオフした位置の位置情報を前記表示部に表示させる、請求項１記載の水上スポーツに使用する装置。
【請求項３】
前記時間情報は、前記計測した時間を時間の長さに応じて図形化したものである、請求項１記載の水上スポーツに使用する装置。
【請求項４】
前記制御手段は、前記計測した時間の時間情報を、前記報知部に複数報知させる、請求項１記載の水上スポーツに使用する装置。
【請求項５】
前記制御手段は、過去にテイクオフした位置情報と現在の位置情報とを前記報知部に報知させる、請求項１または２記載の水上スポーツに使用する装置。
【請求項６】
前記計測手段は、波のうねりが発生したタイミングをユーザの指示によって取得する、請求項１乃至５いずれか１項に記載の水上スポーツに使用する装置。
【請求項７】
前記制御手段は、波のうねりが発生してからブレイクするまでの時間の間に、テイクオフするタイミングであることを前記報知部によりユーザに知らせる、請求項１乃至６いずれか１項に記載の水上スポーツに使用する装置。
【請求項８】
前記制御手段は、前記計測手段が計測した時間を前記報知部によりユーザに知らせる、請求項１記載の水上スポーツに使用する装置。
【請求項９】
地図情報を取得する地図取得手段をさらに備え、
前記制御手段は、前記地図情報を基に、前記報知部の画面の背景に海岸の画像を表示する、請求項１乃至８いずれか１項に記載の水上スポーツに使用する装置。
【請求項１０】
表示部と位置情報取得手段を備えた水上スポーツに使用する装置であって、
波のうねりが発生または通過してからブレイクするまでの時間を計測する計測手段と、
前記計測した時間の時間情報を前記表示部に表示させる制御手段と、を備え、
前記制御手段は、過去にテイクオフした位置情報と現在の位置情報を前記表示部に表示させることを特徴とする水上スポーツに使用する装置。
【請求項１１】
報知部を備えた水上スポーツに使用する装置で実行される情報提供方法であって、
波のうねりが発生または通過してからブレイクするまでの時間を計測する計測ステップと、
前記計測した時間に基づく時間情報またはタイミング情報を前記報知部に報知させる制御ステップと、
を含むことを特徴とする情報提供方法。
【請求項１２】
報知部を備えた水上スポーツに使用する装置を制御するコンピュータに、
波のうねりが発生または通過してからブレイクするまでの時間を計測する計測機能と、
前記計測した時間に基づく時間情報またはタイミング情報を前記報知部に報知させる制御機能と、
を実現させることを特徴とするプログラム。
【発明の詳細な説明】
【技術分野】
【０００１】
本発明は、水上スポーツに使用する装置、情報提供方法及びプログラムに関する。
【背景技術】
【０００２】
従来、サーフィン、スノーボードあるいはサイクリング等のスポーツにおいて、センサを内蔵した装置を身体に装着し、スポーツにおける各種データを計測する技術が知られている。
例えば、特許文献１には、様々な場所でうねりとなる波の高さを計測し、サーフィンを行うユーザに計測した情報を通知することが記載されている。
【先行技術文献】
【特許文献】
【０００３】
【特許文献１】特開２０１６−１８０６２０号公報
【発明の概要】
【発明が解決しようとする課題】
【０００４】
しかしながら、サーフィン等の水上スポーツを行うユーザを支援する情報を提供する場合、水上スポーツにおける環境、即ち、波の状態等は逐次変化するものであるため、計測された情報を提示されたとしても、必ずしもユーザを支援できない可能性がある。
【０００５】
本発明は、このような状況に鑑みてなされたものであり、水上スポーツを行うユーザをより適切に支援することを目的とする。
【課題を解決するための手段】
【０００６】
上記目的を達成するため、本発明の一態様の水上スポーツに使用する装置は、
報知部を備え、
波のうねりが発生または通過してからブレイクするまでの時間を計測する計測手段と、
前記計測した時間に基づく時間情報またはタイミング情報を前記報知部に報知させる制御手段と、
を備えることを特徴とする。
【発明の効果】
【０００７】
本発明によれば、水上スポーツを行うユーザをより適切に支援することができる。
【図面の簡単な説明】
【０００８】
【図１Ａ】本発明の水上スポーツに使用する装置の一実施形態としてのリスト端末の外観構成を示す図である。
【図１Ｂ】本発明の水上スポーツに使用する装置の一実施形態としてのリスト端末のハードウェア構成を示すブロック図である。
【図２】図１Ａ及び図１Ｂのリスト端末の機能的構成のうち、支援情報提供処理を実行するための機能的構成を示す機能ブロック図である。
【図３】波の状態を計測するための画面表示の遷移例を示す模式図である。
【図４】波状態表示マップの一例を示す模式図である。
【図５】移動軌跡表示マップの一例を示す模式図である。
【図６】図２の機能的構成を有する図１のリスト端末が実行するログ情報記録処理の流れを説明するフローチャートである。
【図７Ａ】リスト端末をユーザに装着するための装着部材の平面図（模式図）である。
【図７Ｂ】装着部材をユーザに装着した状態を示す模式図である。
【発明を実施するための形態】
【０００９】
以下、本発明の実施形態について、図面を用いて説明する。
【００１０】
［ハードウェア構成］
図１Ａは、本発明の水上スポーツに使用する装置の一実施形態としてのリスト端末１の外観構成を示す図であり、図１Ｂは、本発明の水上スポーツに使用する装置の一実施形態としてのリスト端末１のハードウェア構成を示すブロック図である。
リスト端末１は、腕時計型に構成され、スマートフォンに類する機能を備えた装置である。
図１Ａ及び図１Ｂに示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒａｎｄｏｍ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、ドライブ２２とを備えている。なお、リスト端末１には、撮像部等の他のハードウェアを適宜備えることが可能である。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、支援情報提供処理（後述）のためのプログラム等、ＲＯＭ１６に記録されているプログラムに従って各種の処理を実行する。
センサユニット１２は、加速度センサ、ジャイロセンサ、気圧センサ、地磁気センサあるいは高度センサ等の各種センサを備えている。
加速度センサは、リスト端末１における３軸方向の加速度を検出し、検出した加速度を示す情報を制御部１１に出力する。
ジャイロセンサは、リスト端末１における３軸方向の角速度を検出し、検出した角速度を示す情報を制御部１１に出力する。
気圧センサは、リスト端末１がある環境下の気圧を検出し、検出した気圧を示す情報を制御部１１に出力する。本実施形態において、気圧センサは、空中では気圧を検出し、水中では水圧を検出する。
【００１２】
入力部１３は、各種ボタンやＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。
時計回路１５は、システムクロックあるいは発振器により生成される信号から時刻信号を生成し、現在時刻を出力する。
【００１３】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１４】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
ドライブ２２には、磁気ディスク、光ディスク、光磁気ディスク、あるいは半導体メモリ等よりなる、リムーバブルメディア３１が適宜装着される。リムーバブルメディア３１は、位置及び高度のデータ等の各種データを記憶することができる。
【００１５】
図２は、図１Ａ及び図１Ｂのリスト端末１の機能的構成のうち、支援情報提供処理を実行するための機能的構成を示す機能ブロック図である。
支援情報提供処理とは、リスト端末１を装着したユーザが水上スポーツを行う際に、波の情報を取得することを支援する共に、ユーザが動きを開始すべきタイミングの判断を支援するための情報を提供する一連の処理である。なお、本実施形態では、リスト端末１を装着したユーザがサーフィンを行う際にユーザを支援する場合を例に挙げて説明する。また、以下の説明において、サーファーが波に乗ってサーフボードに立ち上がることを「テイクオフ」、その後、波のブレイク等によりサーフボードから降りることを「ワイプアウト」、テイクオフからワイプアウトまでの波に乗っている状態を「ライディング」と称する。
【００１６】
支援情報提供処理が実行される場合には、図２に示すように、制御部１１において、計測情報取得部５１と、領域判定部５２と、出力制御部５３と、操作検出部５４と、通過検出部５５と、記録制御部５６と、アドバイス報知部５７と、テイクオフ検出部５８と、ワイプアウト検出部５９と、が機能する。
また、ＲＯＭ１６の一領域には、波状態データ記憶部７１と、履歴データ記憶部７２が設定される。
波状態データ記憶部７１には、ユーザの操作または計測情報を基に計測された波の状態に関するデータが記憶される。波の状態に関するデータとしては、例えば、ユーザの位置を波が乗り越えたタイミングから、その波がブレイクしたタイミングまでの時間及び距離が含まれる。
履歴データ記憶部７２には、サーフィンの１ライド毎にライディング履歴のデータが記憶される。本実施形態においては、ライディング履歴のデータとして、ライディングの軌跡、トップスピード、１ライディングの距離、１ライディングの時間、テイクオフ時刻等が記憶される。なお、１ライディングを「１本」と数えるものとする。
【００１７】
計測情報取得部５１は、ＧＰＳモジュール１９の測位結果及びセンサユニット１２に備えられた各種センサの検出結果（以下、これらをまとめて、適宜「計測情報」と称する。）を所定の時間間隔（例えば０．１秒間隔）で取得する。例えば、計測情報取得部５１は、計測情報として、ＧＰＳモジュール１９の測位結果（現在位置）及びセンサユニット１２の気圧センサの検出結果を逐次取得する。なお、本実施形態において、計測情報には、センサの出力データに所定の演算（微分等）を適宜加えたデータも含まれるものとする。例えば、ＧＰＳモジュール１９の測位結果を微分することにより取得された速度のデータ等も計測情報に含まれる。
【００１８】
領域判定部５２は、計測情報取得部５１によって取得された計測情報に基づいて、ユーザの位置が海岸線よりも海側であるか陸側であるかの判定を行う。なお、領域判定部５２は、計測情報取得部５１によって取得された計測情報に基づいて、ユーザが波に浮いている状態であると判定された場合に、ユーザの位置が海岸線よりも海側であると判定することとしてもよい。
【００１９】
出力制御部５３は、リスト端末１においてユーザに各種情報を出力するためのユーザインターフェース画面（ＵＩ画面）を表示する。例えば、出力制御部５３は、波の状態を計測するための画面表示を行う。
【００２０】
図３は、波の状態を計測するための画面表示の遷移例を示す模式図である。
図３に示すように、波の状態を計測するための画面表示では、初めに、波の状態の計測をユーザに促すメッセージ（「波が通過してからブレイクするまでの時間を計測してください」等）及び計測のスタート及びストップを入力するためのボタンアイコン等が表示される。
【００２１】
計測のスタートを表すボタンアイコンが操作されると、出力制御部５３は、画面に時間（秒数）をカウントアップして表示すると共に、カウント毎に振動を出力する。なお、計測のスタートを表すボタンアイコンは、ユーザの現在位置を波（またはうねり）が通過したタイミングに対応して操作される。ただし、計測のスタートに関しては、後述する通過検出部５５が波の通過を検出することにより、ユーザの現在位置を波（またはうねり）が通過したタイミングで、自動的にスタートするように設定することが可能である。本実施形態では、デフォルトで自動的に計測がスタートするように設定され、ユーザの操作によっても計測がスタートする設定となっている。
そして、計測のストップを表すボタンアイコンが操作されると、出力制御部５３は、カウントされた時間を表示する。なお、計測のストップを表すボタンアイコンは、波がブレイクしたタイミングに対応して操作される。
【００２２】
また、出力制御部５３は、テイクオフ検出部５８によってユーザがテイクオフしたことが検出されることに対応して、計測中のデータとして所定の計測情報（ライディング継続時間、速度等）をＬＣＤ１４に表示する。
また、出力制御部５３は、ユーザにより波（またはうねり）の計測結果のデータを表示させる指示が行われた場合に、記録制御部５６によってＲＯＭ１６またはリムーバブルメディア３１に記録された計測情報に基づいて、波（またはうねり）の計測結果をマップ上に表したマップ画面（以下、「波状態表示マップ」と称する。）をＬＣＤ１４に表示する。
また、出力制御部５３は、ユーザにより履歴データのマップ画面を表示させる指示が行われた場合に、記録制御部５６によってＲＯＭ１６またはリムーバブルメディア３１に記録された計測情報に基づいて、１ライディング毎の移動軌跡をマップ上に表したマップ画面（以下、「移動軌跡表示マップ」と称する。）をＬＣＤ１４に表示する。
【００２３】
操作検出部５４は、ユーザがＵＩ表示画面あるいは各種ボタンに対して行った操作を検出する。例えば、操作検出部５４は、波の状態を計測するために、ユーザが波のブレイクを視認したタイミングで入力した波のブレイクを示す操作やうねり（または波）の通過を視認したタイミングで入力した波の通過を示す操作を検出する。また、操作検出部５４は、テイクオフを試みるために、ユーザが自身の現在位置から所定距離（例えば１００ｍ）の沖でうねり（波の前兆の現象）を視認したタイミングで、うねりの発生を示す操作を行った場合に、ユーザが行ったうねりの発生を示す操作を検出する。
【００２４】
通過検出部５５は、計測情報取得部５１によって取得された計測情報に基づいて、ユーザの現在位置を波（またはうねり）が通過したことを検出する。例えば、通過検出部５５は、鉛直上方及び鉛直下方に所定値以上の加速度が連続して発生した場合に、ユーザの現在位置を波（またはうねり）が通過したことを検出する。
【００２５】
記録制御部５６は、操作検出部５４によって、ユーザが波のブレイクを視認したタイミングで入力した波のブレイクを示す操作やうねり（または波）の通過を視認したタイミングで入力した波の通過を示す操作が検出されることにより、波状態データ記憶部７１に、波の状態に関するデータが記憶されているか否かの判定を行う。波状態データ記憶部７１に、波の状態に関するデータが記憶されていない場合、出力制御部５３によって、波の状態を計測するための画面表示が行われる。
また、記録制御部５６は、テイクオフ検出部５８によってユーザがテイクオフしたことが検出された場合に、計測情報取得部５１によって取得された計測情報をＲＯＭ１６またはドライブ２２に装着されたリムーバブルメディア３１に記録（保存）する。また、記録制御部５６は、ワイプアウト検出部５９によってユーザがワイプアウトしたことが検出された場合に、計測情報取得部５１によって取得された計測情報のＲＯＭ１６またはドライブ２２に装着されたリムーバブルメディア３１への記録（保存）を停止する。
【００２６】
アドバイス報知部５７は、ユーザの現在位置と、波状態データ記憶部７１に記憶された波の状態に関するデータと、履歴データ記憶部７２に記憶されたライディング履歴のデータとに基づいて、ユーザの現在位置が適切であるか否かの判定を行う。そして、アドバイス報知部５７は、ユーザの現在位置が適切でない場合、ユーザに対し、ユーザの現在位置が適切でない旨及び移動すべき方向を示すメッセージを表示する。例えば、ユーザの現在位置を波（またはうねり）が通過した後、ブレイクを示す操作が行われることにより、波状態データ記憶部７１に波の軌跡のデータが記憶された場合に、ユーザの現在位置がブレイクポイントに近過ぎる場合、アドバイス報知部５７は、ユーザに対し、陸に近過ぎることを示すメッセージを表示する。同様に、ユーザの現在位置がブレイクポイントから遠過ぎる場合、アドバイス報知部５７は、ユーザに対し、陸から離れ過ぎている（沖に流されている）ことを示すメッセージを表示する。なお、ブレイクポイントに対して近過ぎるまたは遠過ぎるか否かについては、例えば、波がブレイクするタイミングまでの時間を基に判定することができる。また、アドバイス報知部５７は、履歴データ記憶部７２に記憶されたライディング履歴のデータに対して、ユーザの現在位置が海岸線と平行な方向に大きくずれている（設定された距離以上、離間した位置にいる）場合、アドバイス報知部５７は、ユーザに対し、海岸線と平行に移動していることを示すメッセージを表示する。
【００２７】
また、アドバイス報知部５７は、操作検出部５４によって検出されたユーザの操作及び通過検出部５５の検出結果に基づいて、波の速度を算出する。そして、アドバイス報知部５７は、テイクオフを試みるために、ユーザがうねりの発生を示す操作（自身の現在位置から所定距離（例えば１００ｍ）の沖でうねりを視認したタイミングで入力した操作）を行った場合に、その波のブレイクタイミングを算出し、算出したブレイクタイミングから、予め設定されている予告時間前のタイミングをテイクオフタイミング（テイクオフに適したタイミング）として報知する。例えば、波のブレイクタイミングに先行する予告時間として、ユーザは、１秒毎に選択可能ないずれかの時間（３秒前、４秒前・・・２０秒前等）を予め設定しておき、アドバイス報知部５７は、ユーザが自身の現在位置から所定距離の沖で視認したうねりの発生を示す操作を行った場合に、波の速度を基に、その波のブレイクタイミングを算出して、そのタイミングから予告時間前のタイミングをテイクオフタイミングとして報知する。アドバイス報知部５７による報知が行われた場合、ユーザは、その報知を契機としてテイクオフ動作を開始する。なお、うねりの発生を示す操作を入力する場合、リスト端末１側面の所定のボタンを操作したり、テイクオフの待機状態に設定することにより、うねりの発生を示す操作を入力するためのボタンアイコンを表示しておき、うねりを視認したタイミングで、このボタンアイコンを操作したりすることが可能である。
【００２８】
テイクオフ検出部５８は、計測情報取得部５１によって取得された計測情報に基づいて、リスト端末１を装着したユーザがテイクオフしたか否かの判定を行う。本実施形態において、リスト端末１を装着したユーザがテイクオフしたか否かは移動速度が第１の閾値Ｔｈ１（例えば１０［ｋｍ／ｓ］）以上となったか否かによって判定するものとする。
【００２９】
ワイプアウト検出部５９は、計測情報取得部５１によって取得された計測情報に基づいて、リスト端末１を装着したユーザがワイプアウトしたか否かの判定を行う。本実施形態において、リスト端末１を装着したユーザがワイプアウトしたか否かは、移動速度が第１の閾値Ｔｈ１より低い第２の閾値Ｔｈ２（例えば２［ｋｍ／ｓ］）未満となったか否かによって判定するものとする。本実施形態においては、移動速度が第２の閾値Ｔｈ２未満となった計測点が連続して３点現れた場合に、ユーザがワイプアウトしたと判定される。
なお、ワイプアウト検出部５９は、テイクオフ検出部５８がユーザのテイクオフを検出した後、一定期間（例えば１０［ｓｅｃ］）以上に亘って、ＧＰＳモジュール１９の測位結果が得られない場合にも、ユーザがワイプアウトしたものと判定する。
上述の第１の閾値Ｔｈ１及び第２の閾値Ｔｈ２は、ユーザがリスト端末１に対する操作を行うことにより、任意に設定することができる。
【００３０】
図４は、波状態表示マップの一例を示す模式図である。
図４に示すように、波状態表示マップにおいては、ユーザの現在位置を通過した波（またはうねり）がブレイクするまでの軌跡と、ユーザがテイクオフした位置とが、それぞれの測位位置に対応する位置に表示されている。また、波の各軌跡には、波がユーザの現在位置を通過後、ブレイクするまでの時間が併せて示されている。
なお、図４において、ユーザの現在位置を通過した波（またはうねり）がブレイクするまでの軌跡は模式的に矢印として示されており、波の軌跡を示す矢印は、波がユーザの現在位置を通過後、ブレイクするまでの時間に対応する相対的な長さで表されている。また、波の軌跡の始点に示された数値は、波が計測された順番を表し、独立して示されている数字はテイクオフ位置を表している。
【００３１】
図５は、移動軌跡表示マップの一例を示す模式図である。
図５に示すように、マップ画面においては、現在位置付近の海岸の地図を背景として、１ライディングの開始位置（テイクオフ位置）から終了位置（ワイプアウト位置）までの移動軌跡をライディング軌跡として表すラインが複数表示されている。マップ画面に表示されるラインでは、そのライディングにおける最大速度の位置がマークによって識別して表示されると共に、各位置での速度の状態がラインの色の相違によって識別して表示される。例えば、最大速度に対して２０％未満の速度の位置は青色、最大速度に対して２０％以上４０未満の速度の位置は水色、最大速度に対して４０％以上６０％未満の速度の位置は緑色、最大速度に対して６０％以上８０％未満の速度の位置は黄色、最大速度に対して８０％以上の速度の位置は赤色で表すことができる。なお、図５においては、各位置での速度の状態を線種の相違によって模式的に示している。
【００３２】
［動作］
次に、リスト端末１の動作を説明する。
図６は、図２の機能的構成を有する図１のリスト端末１が実行する支援情報提供処理の流れを説明するフローチャートである。
支援情報提供処理は、リスト端末１に用意されている複数の計測モードのうち、サーフィンの計測を行うモード（サーフィンモード）に設定する操作が行われることにより開始される。
ステップＳ１において、計測情報取得部５１は、ＧＰＳモジュール１９の測位結果及びセンサユニット１２に備えられた各種センサの検出結果（計測情報）を取得する。以後、履歴記録処理が終了するまで、所定の時間間隔（例えば０．１秒間隔）で計測情報が取得される。
【００３３】
ステップＳ２において、領域判定部５２は、計測情報取得部５１によって取得された計測情報に基づいて、ユーザの位置が海岸線よりも海側であるか否かの判定を行う。
ユーザの位置が海岸線よりも海側である場合、ステップＳ２においてＹＥＳと判定されて、処理はステップＳ３に移行する。
一方、ユーザの位置が海岸線よりも陸側である場合、ステップＳ２においてＮＯと判定されて、ステップＳ２の処理が繰り返される。
ステップＳ３において、記録制御部５６は、波状態データ記憶部７１に、波の状態に関するデータが記憶されているか否かの判定を行う。
波状態データ記憶部７１に、波の状態に関するデータが記憶されていない場合、ステップＳ３においてＮＯと判定されて、処理はステップＳ４に移行する。
一方、波状態データ記憶部７１に、波の状態に関するデータが記憶されている場合、ステップＳ３においてＹＥＳと判定されて、処理はステップＳ５に移行する。
【００３４】
ステップＳ４において、出力制御部５３は、波の状態を計測するための画面表示を行う。波の状態を計測するための画面表示として、例えば、波の状態の計測をユーザに促すメッセージが表示される。ステップＳ４において表示された画面表示に対応して、ユーザによる波の状態の計測が行われる。
ステップＳ５において、アドバイス報知部５７は、ユーザの現在位置と波のブレイクポイントとの距離が適切であるか否かの判定を行う。
ユーザの現在位置と波のブレイクポイントとの距離が適切でない（現在位置とブレイクポイントとが近過ぎるまたは遠過ぎる）場合、ステップＳ５においてＮＯと判定されて、処理はステップＳ６に移行する。
一方、ユーザの現在位置と波のブレイクポイントとの距離が適切である場合、ステップＳ５においてＹＥＳと判定されて、処理はステップＳ７に移行する。
【００３５】
ステップＳ６において、アドバイス報知部５７は、ユーザに対し、ユーザの現在位置が適切でない旨及び移動すべき方向を示すメッセージを表示する。なお、このとき、波状態表示マップを併せて表示することとしてもよい。
ステップＳ６の後、処理はステップＳ５に移行する。
ステップＳ７において、操作検出部５４は、テイクオフを試みるために、ユーザが自身の現在位置から所定距離（例えば１００ｍ）の沖で視認したうねりの発生を示す操作を検出する。
ステップＳ８において、アドバイス報知部５７は、テイクオフを試みるために、ユーザが行ったうねりの発生を示す操作に対応して、その波のブレイクタイミングを算出し、算出したブレイクタイミングから、予め設定されている予告時間前のタイミングをテイクオフタイミングとして報知する。
【００３６】
ステップＳ９において、テイクオフ検出部５８は、計測情報取得部５１によって取得された計測情報に基づいて、リスト端末１を装着したユーザがテイクオフしたか否かの判定を行う。
リスト端末１を装着したユーザがテイクオフした場合、ステップＳ９においてＹＥＳと判定されて、処理はステップＳ１０に移行する。
一方、リスト端末１を装着したユーザがテイクオフしていない場合、ステップＳ９においてＮＯと判定されて、処理はステップＳ１３に移行する。
【００３７】
ステップＳ１０において、出力制御部５３は、ユーザのテイクオフ位置を波状態表示マップに表示する。なお、ステップＳ１０において、記録制御部５６は、計測情報取得部５１によって取得された計測情報の記録（保存）を開始する。
ステップＳ１１において、ワイプアウト検出部５９は、計測情報取得部５１によって取得された計測情報に基づいて、リスト端末１を装着したユーザがワイプアウトしたか否かの判定を行う。
リスト端末１を装着したユーザがワイプアウトしていない場合、ステップＳ１１においてＮＯと判定されて、ステップＳ１１の処理が繰り返される。
一方、リスト端末１を装着したユーザがワイプアウトした場合、ステップＳ１１においてＹＥＳと判定されて、処理はステップＳ１２に移行する。
【００３８】
ステップＳ１２において、出力制御部５３は、波状態表示マップを表示する。なお、ステップＳ１２において、記録制御部５６は、計測情報取得部５１によって取得された計測情報の記録（保存）を停止する。
ステップＳ１２の後、処理はステップＳ７に移行する。
ステップＳ１３において、アドバイス報知部５７は、ユーザに対し、移動すべき方向を示すメッセージを表示する。
ステップＳ１３の後、処理はステップＳ７に移行する。
このような処理が、ユーザによって支援情報提供処理の終了を指示する操作が行われるまで継続される。
【００３９】
このような処理により、リスト端末１においては、ユーザがサーフィンを行う現場で直接計測した波の状態に関するデータに基づいて、ユーザの現在位置が適切であるか否かが判定され、ユーザの現在位置が適切でない場合、ユーザに対し、ユーザの現在位置が適切でない旨及び移動すべき方向を示すメッセージが表示される。
したがって、ユーザは、自身が波を待機すべき場所を容易に判断することができるため、テイクオフに成功する確率を高めることができる。
【００４０】
また、リスト端末１においては、ユーザが沖のうねりを視認した場合に、うねりの発生を示す操作を行うことにより、サーフィンを行う現場で計測した波の速度等に基づいて、そのうねり（または波）に乗るためのテイクオフタイミングが報知される。
したがって、ユーザは、狙った波に乗るためのタイミングを逸する可能性を低減でき、テイクオフに成功する確率を高めることができる。
【００４１】
また、リスト端末１においては、ユーザがサーフィンを行う現場で直接計測した波の状態に関するデータが時系列で表示されるため、ユーザがサーフィンを行う現場における潮の変化を把握することができる。
したがって、ユーザは、より適切なポジションを選択して波待ちを行うことができ、テイクオフに成功する確率を高めることができる。
【００４２】
［変形例１］
上述の実施形態において、リスト端末１が水没して計測情報の計測精度が低下することをより防ぐために、リスト端末１をユーザにおける腕よりも水没し難い部分（肘近辺等）に装着するための装着部材を用いることとしてもよい。
図７Ａは、リスト端末１をユーザに装着するための装着部材Ｂの平面図（模式図）である。また、図７Ｂは、装着部材Ｂをユーザに装着した状態を示す模式図である。
図７Ａに示すように、装着部材Ｂは、柔軟性を有する帯状の部材からなり、ユーザの前腕に巻き付けられる巻き付け部Ｗ１と、ユーザの上腕に巻き付けられる巻き付け部Ｗ２と、リスト端末１のベルトを通す２つのベルト通し穴Ｈ１，Ｈ２とを備えている。なお、ベルト通し穴Ｈ１，Ｈ２は巻き付け部Ｗ１に形成されている。また、巻き付け部Ｗ１，Ｗ２には面ファスナー等、任意の位置で固定可能な固定部材が備えられている。
【００４３】
装着部材Ｂを用いてリスト端末１が装着される場合、巻き付け部Ｗ１のベルト通し穴Ｈ１，Ｈ２にリスト端末１のベルトを挿通し、ユーザの前腕（肘近辺）に巻き付け部Ｗ１を巻き付けて固定すると共に、ユーザの上腕に巻き付け部Ｗ２を巻き付けて固定する。これにより、リスト端末１が前腕位置に固定される。このとき、前腕に巻き付けられたリスト端末１のベルトが届くようであれば、リスト端末１のベルトを互いに固定してもよい。
リスト端末１を単に前腕に巻き付けた場合、人間の腕は手首に向けて細くなることから、徐々にリスト端末１が手首側に移動することとなるが、装着部材Ｂを用いることで、確実に前腕位置にリスト端末１を固定することができる。
なお、ベルト通し穴Ｈ１，Ｈ２を巻き付け部Ｗ２に形成することとしてもよい。この場合、リスト端末１は、上腕位置に固定されることとなる。
【００４４】
［変形例２］
上述の実施形態において、波状態表示マップ及び移動軌跡表示マップを表示する場合、ユーザの現在位置周辺の地図情報を取得し、実際の海岸線の画像を背景として表示することとしてもよい。
例えば、計測情報取得部５１によって現在位置が取得されることに対応して、出力制御部５３が現在位置周辺の地図情報をＷｉ−Ｆｉ等を介して外部装置（地図情報を提供するサーバ等）から取得し、背景の表示に用いることができる。
これにより、ユーザは実際の海岸線の特徴を認識することができるため、より適切な波待ちポイントに移動して、テイクオフに成功する確率をより高めることが可能となる。
【００４５】
以上のように構成されるリスト端末１は、ＬＣＤ１４と、出力制御部５３と、を備える。
出力制御部５３は、波のうねりが発生または通過してからブレイクするまでの時間を計測する。
出力制御部５３は、計測した時間に基づく時間情報またはタイミング情報をＬＣＤ１４に報知させる。
これにより、波に関するデータを現場で直接計測して時間情報またはタイミング情報を報知することができる。
したがって、水上スポーツを行うユーザをより適切に支援することができる。
【００４６】
リスト端末１は、テイクオフ検出部５８を備える。
テイクオフ検出部５８は、ユーザがテイクオフした位置を取得する。
出力制御部５３は、取得したテイクオフした位置の位置情報をＬＣＤ１４に表示させる。
これにより、計測された波に関するデータに加え、ユーザがテイクオフに成功した位置の位置情報を表示することができる。
したがって、ユーザにとって、より有用な情報を提供することができる。
【００４７】
時間情報は、計測した時間を時間の長さに応じて図形化したものである。
これにより、直感的にわかりやすい形態で、波に関するデータを表示することができる。
【００４８】
出力制御部５３は、計測した時間の時間情報を、ＬＣＤ１４に複数表示させる。
これにより、ユーザは、波に関するデータを統計的に解析することが可能となる。
【００４９】
出力制御部５３は、過去にテイクオフした位置情報と現在の位置情報とをＬＣＤ１４に表示させる。
これにより、ユーザは、テイクオフに成功した位置を容易に把握することが可能となる。
【００５０】
出力制御部５３は、波のうねりが発生したタイミングをユーザの指示によって取得する。
これにより、うねりが発生したタイミングをリスト端末１において把握することが可能となる。
【００５１】
リスト端末１は、アドバイス報知部５７を備える。
アドバイス報知部５７は、波のうねりが発生してからブレイクするまでの時間の間に、テイクオフするタイミングであることを判定し、出力制御部５３はＬＣＤ１４により判定結果をユーザに知らせる。
これにより、ユーザは、狙った波に乗るためのタイミングを逸する可能性を低減でき、テイクオフに成功する確率を高めることができる。
【００５２】
出力制御部５３は、計測した時間をＬＣＤ１４によりユーザに知らせる。
これにより、波のブレイクまでの時間をユーザに知らせることが可能となる。
【００５３】
出力制御部５３は、地図情報を取得する。
出力制御部５３は、地図情報を基に、前記表示部の画面の背景に海岸の画像を表示する。
これにより、ユーザは実際の海岸線の特徴を認識することができるため、より適切なポイントに移動することが可能となる。
【００５４】
また、リスト端末１は、水上スポーツに使用され、ＬＣＤ１４と、計測情報取得部５１と、出力制御部５３と、を備える。
出力制御部５３は、波のうねりが発生または通過してからブレイクするまでの時間を計測する。
出力制御部５３は、計測した時間の時間情報をＬＣＤ１４に表示させる。
出力制御部５３は、過去にテイクオフした位置情報と現在の位置情報をＬＣＤ１４に表示させる。
これにより、ユーザは、テイクオフに成功した位置を容易に把握することが可能となる。
【００５５】
なお、本発明は、上述の実施形態に限定されるものではなく、本発明の目的を達成できる範囲での変形、改良等は本発明に含まれるものである。
【００５６】
例えば、波状態表示マップにおいて、波がユーザを通過した際のユーザの現在位置を、波の軌跡の始点とする場合を例に挙げて説明したが、これに限られない。例えば、ユーザが自身の現在位置から所定距離の沖でうねりを視認したタイミングで入力した操作を反映させて、波状態表示マップにおいて、ユーザの現在位置の前に所定距離に対応する長さの線分を表示することとしてもよい。この線分の長さは、例えば固定長としたり、当日の波の速さを反映させた可変の長さとしたりすることができる。
【００５７】
また、上述の実施形態において、波状態表示マップと移動軌跡表示マップとを個別に表示することとしたが、これに限られない。即ち、波状態表示マップの表示内容と、移動軌跡表示マップの表示内容とを合わせたマップの表示を行うこととしてもよい。
また、上述の実施形態において、制御部１１が、計測情報に基づいて、ユーザが波に浮いている状態であるか否かを判定することによって、サーフィンのテイクオフ状態であるか否かを判定することとしてもよい。
【００５８】
また、上述の実施形態において、テイクオフ検出部５８が、計測情報に基づいて、ユーザが波に浮いている状態からサーフボードに立ち上がったことを検出してテイクオフを判定することとしてもよい。この場合、立ち上がることによる上方向への加速度を検出したり、加速度及び角速度の波形が浮いている場合とは異なる状態となることを検出したりすることが可能である。
【００５９】
また、上述の実施形態において、ワイプアウト検出部５９が、計測情報に基づいて、立っている状態から海に降りたことを検出してワイプアウトを判定することとしてもよい。この場合、海に降りることによる下方向への加速度を検出したり、加速度及び角速度の波形がサーフボードに立っている場合とは異なる状態となることを検出したりすることが可能である。
【００６０】
また、上述の実施形態において、ワイプアウトの条件は、所定速度未満の状態が所定時間以上継続した場合とすることとしてもよい。
これにより、比較的遅い波でターンを行った場合等にワイプアウトと判定されることを抑制できる。
【００６１】
また、上述の実施形態において、マップ画面を表示する場合、地図の縮尺を移動軌跡の長さに合わせて設定することとしてもよい。さらに、マップ画面を表示する場合、最新の移動軌跡がＬＣＤ１４の表示画面における所定領域（中央部分等）に表示されるように地図の範囲を設定することとしてもよい。
また、上述の実施形態において、マップ画面には、複数の移動軌跡を併せて表示することとしてもよい。
【００６２】
また、上述の実施形態では、位置情報を取得するためにＧＰＳを用いているが、特にこれに限定されない。例えば、Ｗｉ−Ｆｉアクセスポイントを使って高速で正確な位置情報を取得するＳｉＲＦｕｓｉｏｎ（登録商標）や、水中でも位置を測定できる量子コンパス等を利用してもよい。
【００６３】
また、上述の実施形態では、毎回ＧＰＳモジュール１９の測位結果及びセンサユニット１２に備えられた各種センサの検出結果（計測情報）を取得しているが、計測情報から特定の移動状態であると判定した場合に、ＧＰＳモジュール１９の測位を行ってもよい。ＧＰＳモジュールの消費電力が大きいので省電力につながる。
【００６４】
また、上述の実施形態では、本発明が適用される電子機器として、リスト端末を例として説明したが、特にこれに限定されない。
例えば、本発明は、運動を計測する機能を有する電子機器一般に適用することができる。具体的には、例えば、本発明は、ノート型のパーソナルコンピュータ、タブレット型端末、ビデオカメラ、携帯型ナビゲーション装置、携帯電話機、スマートフォン、ポータブルゲーム機等に適用可能である。
【００６５】
また、上述の実施形態では、リスト端末１内部の制御部１１が図６のフローチャートに示す動作を制御しているが、無線通信モジュール２１を介してスマートフォン等にデータを送り、演算処理はスマートフォンで行ってその結果をリスト端末１に返して、ＬＣＤ１４に表示させるようにすることも可能である。
また、上述の実施形態では、リスト端末１内部のＲＡＭ１７またはリムーバブルメディア３１に各種データを記録するようにしているが、無線通信モジュール２１を介してスマートフォン等にデータを送り、スマートフォン等に記録するようにしてもよい。
【００６６】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００６７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６８】
このようなプログラムを含む記録媒体は、ユーザにプログラムを提供するために装置本体とは別に配布される図１Ｂのリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｃ）等により構成される。また、装置本体に予め組み込まれた状態でユーザに提供される記録媒体は、例えば、プログラムが記録されている図１ＢのＲＯＭ１６等で構成される。
【００６９】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７０】
以上、本発明のいくつかの実施形態について説明したが、これらの実施形態は、例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７１】
以下に、本願の出願当初の特許請求の範囲に記載された発明を付記する。
［付記１］
報知部を備え、
波のうねりが発生または通過してからブレイクするまでの時間を計測する計測手段と、
前記計測した時間に基づく時間情報またはタイミング情報を前記報知部に報知させる制御手段と、
を備えることを特徴とする水上スポーツに使用する装置。
［付記２］
前記報知部は表示部を含み、
ユーザがテイクオフした位置を取得するテイクオフ位置取得手段をさらに備え、
前記制御手段は、前記取得したテイクオフした位置の位置情報を前記表示部に表示させる、付記１記載の水上スポーツに使用する装置。
［付記３］
前記時間情報は、前記計測した時間を時間の長さに応じて図形化したものである、付記１記載の水上スポーツに使用する装置。
［付記４］
前記制御手段は、前記計測した時間の時間情報を、前記報知に複数報知させる、付記１記載の水上スポーツに使用する装置。
［付記５］
前記制御手段は、過去にテイクオフした位置情報と現在の位置情報とを前記報知部に報知させる、付記１または２記載の水上スポーツに使用する装置。
［付記６］
前記計測手段は、波のうねりが発生したタイミングをユーザの指示によって取得する、付記１乃至５いずれか１つに記載の水上スポーツに使用する装置。
［付記７］
前記制御手段は、波のうねりが発生してからブレイクするまでの時間の間に、テイクオフするタイミングであることを前記報知部によりユーザに知らせる、付記１乃至６いずれか１つに記載の水上スポーツに使用する装置。
［付記８］
前記制御手段は、前記計測手段が計測した時間を前記報知部によりユーザに知らせる、付記１記載の水上スポーツに使用する装置。
［付記９］
地図情報を取得する地図取得手段をさらに備え、
前記制御手段は、前記地図情報を基に、前記報知部の画面の背景に海岸の画像を表示する、付記１乃至８いずれか１つに記載の水上スポーツに使用する装置。
［付記１０］
表示部と位置情報取得手段を備えた水上スポーツに使用する装置であって、
波のうねりが発生または通過してからブレイクするまでの時間を計測する計測手段と、
前記計測した時間の時間情報を前記表示部に表示させる制御手段と、を備え、
前記制御手段は、過去にテイクオフした位置情報と現在の位置情報を前記表示部に表示させることを特徴とする水上スポーツに使用する装置。
［付記１１］
報知部を備えた水上スポーツに使用する装置で実行される情報提供方法であって、
波のうねりが発生または通過してからブレイクするまでの時間を計測する計測ステップと、
前記計測した時間に基づく時間情報またはタイミング情報を前記報知部に報知させる制御ステップと、
を含むことを特徴とする情報提供方法。
［付記１２］
報知部を備えた水上スポーツに使用する装置を制御するコンピュータに、
波のうねりが発生または通過してからブレイクするまでの時間を計測する計測機能と、
前記計測した時間に基づく時間情報またはタイミング情報を前記報知部に報知させる制御機能と、
を実現させることを特徴とするプログラム。
【符号の説明】
【００７２】
１・・・リスト端末，１１・・・制御部，１２・・・センサユニット，１３・・・入力部，１４・・・ＬＣＤ，１５・・・時計回路，１６・・・ＲＯＭ，１７・・・ＲＡＭ，１８・・・ＧＰＳアンテナ，１９・・・ＧＰＳモジュール，２０・・・無線通信用アンテナ，２１・・・無線通信モジュール，２２・・・ドライブ，３１・・・リムーバブルメディア，５１・・・計測情報取得部，５２・・・領域判定部，５３・・・出力制御部，５４・・・操作検出部，５５・・・通過検出部，５６・・・記録制御部，５７・・・アドバイス報知部，５８・・・テイクオフ検出部，５９・・・ワイプアウト検出部，７１・・・波状態データ記憶部，７２・・・履歴データ記憶部，Ｂ・・・装着部材，Ｗ１、Ｗ２・・・巻き付け部，Ｈ１、Ｈ２・・・ベルト通し穴
【図１Ａ】
2020203106.tif 000003
【図１Ｂ】
2020203106.tif 000004
【図２】
2020203106.tif 000005
【図３】
2020203106.tif 000006
【図４】
2020203106.tif 000007
【図５】
2020203106.tif 000008
【図６】
2020203106.tif 000009
【図７Ａ】
2020203106.tif 000010
【図７Ｂ】
2020203106.tif 000011
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
報知部と、
波のうねりが発生してから、または波のうねりがユーザの現在位置を通過してからブレイクするまでの時間を計測する計測手段と、
波のうねりに係る計測をユーザが指示する操作手段と、
前記操作手段が操作されることにより前記計測手段に計測を開始させて、前記計測手段により過去に計測した波のうねりが発生または通過してからブレイクするまでの時間に基づいて新たに発生した波のブレイク時間を算出させ、前記操作手段が操作されてからの計時時間が、算出された前記ブレイク時間から予め設定されている予告時間を減算したタイミングになったことを前記報知部に報知させる制御手段と、
を備えることを特徴とする水上スポーツに使用する装置。
【請求項２】
前記制御手段は、前記計時時間の時間情報として、時間の長さに応じて図形化した時間情報を前記報知部で報知させる請求項１に記載の水上スポーツに使用する装置。
【請求項３】
ユーザがテイクオフした位置情報を取得する位置情報取得手段を更に備え、
前記制御手段は、過去にテイクオフした位置情報と現在の位置情報とを前記報知部で報知させる請求項１または２に記載の水上スポーツに使用する装置。
【請求項４】
前記報知部は表示部を含み、
前記水上スポーツに使用する装置は、
地図情報を取得する地図取得手段をさらに備え、
前記制御手段は、前記地図情報を基に、前記表示部の画面の背景に海岸の画像を表示する請求項１乃至３の何れか一項に記載の水上スポーツに使用する装置。
【請求項５】
前記制御手段は、
ユーザの現在位置を通過した波またはうねりがブレイクするまでの軌跡と、ユーザがテイクオフした位置とが、それぞれの位置情報に対応する位置に表示されているとともに、波の各軌跡には、波がユーザの現在位置を通過後、ブレイクするまでの時間が併せて示されている波状態表示マップを前記表示部に表示させることを特徴とする、請求項４記載の水上スポーツに使用する装置。
【請求項６】
前記波状態表示マップは、ユーザの現在位置を通過した波またはうねりがブレイクするまでの軌跡を模式的に矢印として示し、波の軌跡を示す前記矢印は、波がユーザの現在位置を通過後、ブレイクするまでの時間に対応する相対的な長さで表され、波が計測された順番とテイクオフ位置を表示することを特徴とする、請求項５に記載の水上スポーツに使用する装置。
【請求項７】
報知部を備えた水上スポーツに使用する装置で実行される情報提供方法であって、
波のうねりが発生してから、または波のうねりがユーザの現在位置を通過してからブレイクするまでの時間を計測する計測ステップと、
波のうねりに係る計測をユーザが指示する操作ステップと、
前記操作ステップが操作されることにより前記計測ステップに計測を開始させるとともに、前記計測ステップにより過去に計測した波のうねりが発生または通過してからブレイクするまでの時間に基づき、新たに発生した波のブレイク時間を算出させ、前記操作ステップで操作されてからの計時時間が、算出した前記ブレイク時間から予め設定されている予告時間を減算したタイミングになったことを前記報知部に報知させる制御ステップと、
を含むことを特徴とする情報提供方法。
【請求項８】
報知部を備えた水上スポーツに使用する装置を制御するコンピュータに、
波のうねりが発生してから、または波のうねりがユーザの現在位置を通過してからブレイクするまでの時間を計測する計測機能と、
波のうねりに係る計測をユーザが指示する操作機能と、
制御機能と、を実現させ、
前記制御機能は、
前記操作機能が操作されることにより前記計測機能に計測を開始させるとともに、前記計測機能により過去に計測した波のうねりが発生または通過してからブレイクするまでの時間に基づき、新たに発生した波のブレイク時間を算出させ、前記操作機能が操作されてからの計時時間が、算出された前記ブレイク時間から予め設定されている予告時間を減算したタイミングになったことを前記報知部に報知させることを特徴とするプログラム。
【手続補正２】
【補正対象書類名】明細書
【補正対象項目名】０００６
【補正方法】変更
【補正の内容】
【０００６】
上記目的を達成するため、本発明の一態様の水上スポーツに使用する装置は、
報知部と、
波のうねりが発生してから、または波のうねりがユーザの現在位置を通過してからブレイクするまでの時間を計測する計測手段と、
波のうねりに係る計測をユーザが指示する操作手段と、
前記操作手段が操作されることにより前記計測手段に計測を開始させて、前記計測手段により過去に計測した波のうねりが発生または通過してからブレイクするまでの時間に基づいて新たに発生した波のブレイク時間を算出させ、前記操作手段が操作されてからの計時時間が、算出された前記ブレイク時間から予め設定されている予告時間を減算したタイミングになったことを前記報知部に報知させる制御手段と、
を備えることを特徴とする。